(57)【要約】【課題】パチンコ機に対する組付け前の状態および組付け状態のいずれの場合においても、遊技板の反りを矯正することができるようにしたパチンコ機の遊技盤を提供することである。【解決手段】前面にガイドレールが取付けられ、そのガイドレールによって囲まれた内側が遊技領域とされた遊技板１２の両側部に左右一対の対向配置の反り矯正部材３０を上下に間隔をおいて固定する。左右一対の反り矯正部材３０間に操作部材４０を掛け渡し、その操作部材４０の回転により左右一対の反り矯正部材３０を相反する方向に押圧して、遊技板１２に幅方向の曲げ応力を負荷し、その曲げ応力によって遊技板１２の幅方向の反りを矯正する。【選択図】図３
2009247425.tif 000002
【特許請求の範囲】
【請求項１】
遊技板の前面にガイドレールを取付け、そのガイドレールに囲まれた内側が遊技領域とされ、その遊技領域に遊技部品を取付けたパチンコ機の遊技盤において、
前記遊技板の外周一辺部とその対向辺部に遊技板の後側または前側に張り出す対向一対の反り矯正部材を設け、その対向一対の反り矯正部材間に、ねじ係合部を有し、そのねじ係合部の雄ねじと雌ねじの相対回転による軸方向への相対移動によって対向一対の反り矯正部材に遊技板の前後面に平行の相反する方向の軸力を負荷する反り矯正用の操作部材を設けたことを特徴とするパチンコ機の遊技盤。
【発明の詳細な説明】
【技術分野】
【０００１】
この発明は、パチンコ機の遊技盤に関するものである。
【背景技術】
【０００２】
一般に、パチンコ機においては、外枠の一側部により中枠の一側部を軸支して開閉可能に支持し、その中枠の前面を覆うガラス枠等の前面枠の一側部を上記中枠で軸支して開閉可能とし、上記中枠に遊技盤を取付けるようにしている。
【０００３】
遊技盤は、遊技板を有し、その遊技板の前面にガイドレールを取付け、そのガイドレールの内側に形成された遊技領域に、遊技球の落下方向を分散、調整するための多数の釘や風車、液晶表示器、始動入賞装置、特別可変入賞装置等の各種の遊技部品を取付けている。
【０００４】
ここで、遊技盤における遊技板として、特許文献１に示すように、ポリメチルメタクリレート（ＰＭＭＡ）等のアクリル樹脂からなる樹脂製のものが知られている。この樹脂製の遊技板は、押出し成形された樹脂板を所定の外形形状に切断して、各種の遊技部品を取付ける孔明け加工を行なうようにしている。
【０００５】
上記のような樹脂製の遊技板においては、分子が押出し方向に配向され易いため、その押出し方向と直交する方向に反りが生じ易い。また、加工による歪や、温度、湿度の変化、あるいは、吸湿によって幅方向に反りが生じ易く、その反りが大きい場合、精度の高い釘打ちを行なうことができず、また、釘頭が前面枠に当接したり、あるいは、遊技球が釘間に引っ掛かる場合がある。
【０００６】
また、遊技盤の遊技板には、ベニヤ合板からなる合板製のものもあり、その合板製の遊技板においても、孔明け加工による加工歪や吸湿等によって反りが生じ、樹脂製の遊技板と同様の問題が発生する可能性がある。
【０００７】
そのような問題を解決するため、特許文献２に記載された遊技盤においては、遊技板の部品取付け孔を除く領域にステンレス板等の強度の高い薄肉厚の板反り防止板を接着等の手段で固着して、遊技板に反りが生じるのを防止するようにしている。
【０００８】
【特許文献１】特開２００６−２５４９５９号公報
【特許文献２】特開平１０−３２３４２３号公報
【発明の開示】
【発明が解決しようとする課題】
【０００９】
ところで、特許文献２に記載された遊技板においては、板反り防止板自身が反らないことを前提とした技術であり、万一、その板反り防止板と共に遊技板に反りが生じると、その反りを矯正することができない。
【００１０】
この発明の課題は、パチンコ機に組付け前の状態および組付け状態のいずれの場合においても、遊技板の反りを矯正することができるようにしたパチンコ機の遊技盤を提供することである。
【課題を解決するための手段】
【００１１】
上記の課題を解決するために、この発明においては、遊技板の前面にガイドレールを取付け、そのガイドレールに囲まれた内側が遊技領域とされ、その遊技領域に遊技部品を取付けたパチンコ機の遊技盤において、前記遊技板の外周一辺部とその対向辺部に遊技板の後側または前側に張り出す対向一対の反り矯正部材を設け、その対向一対の反り矯正部材間に、ねじ係合部を有し、そのねじ係合部の雄ねじと雌ねじの相対回転による軸方向への相対移動によって対向一対の反り矯正部材に遊技板の前後面に平行の相反する方向の軸力を負荷する反り矯正用の操作部材を設けた構成を採用したのである。
【００１２】
上記の構成からなるパチンコ機の遊技盤において、対向一対の反り矯正部材は
遊技板の反りを考慮して形成する。例えば、遊技板が合成樹脂の押出し成形品とされ、その押出し方向が上下とされている場合、遊技板は幅方向に反りが生じ易いため、対向一対の反り矯正部材は遊技板の左右両側部に設けるようにする。
【００１３】
一方、遊技板が合成樹脂の押出し成形品とされ、その押出し方向が左右とされている場合、遊技板は上下方向に反りが生じ易いため、対向一対の反り矯正部材は遊技板の上下端部に設けるようにする。
【００１４】
ここで、対向一対の反り矯正部材を後側に張り出すようにして左右両側部に設けた遊技板において、吸湿等によって遊技板に、両側縁が幅方向の中央部より前面側に配置される反り（以下、前反りという）が生じた場合、操作部材の回転操作によって対向一対の反り矯正部材に引き寄せる方向の軸力を負荷すると、遊技板には、その両側部が後方に引かれる方向の曲げ応力が負荷されることになり、その曲げ応力の負荷によって遊技板の前反りを矯正することができる。
【００１５】
一方、上記と逆に、両側縁が幅方向の中央部より後ろ側に配置される反り（後反り）が生じた場合、操作部材の回転操作により対向一対の反り矯正部材に互いに離反する方向の軸力を負荷すると、遊技板には両側部が前方に押し出される方向の曲げ応力が負荷されることになり、その曲げ応力の負荷によって遊技板の後反りを矯正することができる。
【００１６】
ここで、操作部材は、対向一対の反り矯正部材のそれぞれに形成されたロッド挿入孔に両端部が挿入されたロッドと、そのロッドの両端部外周に形成された雄ねじのそれぞれにねじ係合されて、各反り矯正部材を両側から挟持する一対のナットとからなるものであってもよく、あるいは、両端部の内周に雌ねじを有し、その両端部の雌ねじが逆ねじとされた筒状のナット部材と、そのナット部材の一方の雌ねじにねじ係合される雄ねじを一端部外周に有し、他端部が反り矯正部材のそれぞれに固定される一対のロッドとからなるものであってもよい。
【００１７】
また、両端部の外周に雄ねじを有し、その両端部の雄ねじが逆ねじとされて、対向一対の反り矯正部材のそれぞれに設けられたねじ孔にねじ係合されたロッドからなるものであってもよい。
【００１８】
上記いずれの操作部材においても、ナットやナット部材、あるいは、両端部の外周に雄ねじを有するロッドを回転させる簡単な操作によって、対向一対の対向配置の反り矯正部材に比較的大きな軸力を負荷することができ、遊技板の反りを簡単に矯正することができる。
【００１９】
特に、両端部の内周に雌ねじが形成され、その雌ねじが逆ねじとされたナット部材と一対のロッドからなる操作部材や、両端部の外周に逆ねじが形成されたロッドからなる操作部材においては、ナット部材やロッド部材の回転によって対向一対の反り矯正部材を同時に押し引きすることができるため、遊技板の反りを効果的に矯正することができる。
【発明の効果】
【００２０】
上記のように、この発明に係るパチンコ機の遊技盤においては、遊技板の外周一辺部とその対向辺部に対向一対の反り矯正部材を設け、その対向一対の反り矯正部材間に、対向一対の反り矯正部材に対して相反する方向の軸力を負荷する操作部材を設けたので、上記操作部材の操作によって遊技板に曲げ応力を負荷することができ、遊技盤の組付け前の状態および組付け状態において、遊技板の反りを矯正することができる。
【発明を実施するための最良の形態】
【００２１】
以下、この発明の実施の形態を図面に基づいて説明する。図１乃至図３に示すように、パチンコ機は、縦長な矩形状に枠組みされた外枠１を有し、その外枠１の一側部に上下で対向するヒンジ片２が固定され、そのヒンジ片２によりパチンコ機の主要構成部を支持する板状の中枠３の一側部が軸支されて開閉可能に支持されている。
【００２２】
中枠３の表側には、上皿５を有する前面枠４が設けられている。前面枠４は、その一側部が中枠３に軸支されて開閉自在とされ、閉鎖状態において中枠３の前面を覆うようになっており、その前面枠４の下側に下皿７を有する皿板６が設けられている。ここで、前面枠４は、ガラス板の周囲に縁枠を設けたものであってもよく、あるいは、アクリル樹脂板の周囲に縁枠を設けたものであってもよい。
【００２３】
皿板６の右側には発射ハンドル８が取付けられ、その発射ハンドル８に設けられた発射レバー９を回動操作することにより、上皿５に貯留された遊技球が図示省略した球送り機構を介して発射装置に送り込まれた後、中枠３に取付けられた図４に示す遊技盤１０の遊技領域１１に発射されるようになっている。
【００２４】
遊技盤１０は、遊技板１２を有し、その遊技板１２の前面に取付けられたガイドレール１３の内側が遊技領域１１とされ、その遊技領域１１に、遊技球の落下方向を分散、調整するための多数の釘１４や風車１５、液晶表示器１６、始動入賞装置１７、特別可変入賞装置１８等の遊技部品が設けられ、その遊技部品の取付け孔（図示省略）が遊技板１２に形成されている。
【００２５】
ここで、遊技板１２は、アクリル樹脂等の合成樹脂の押出し成形品からなり、その押出し方向が上下とされている。
【００２６】
図３に示すように、中枠３には遊技盤１０に設けられたガイドレール１３がほぼぴったりと嵌り合う抜き孔２０が形成されている。また、中枠３の背面には、上記抜き孔２０を囲むようにして支持枠２１が設けられ、その支持枠２１の内側が嵌合凹部２２とされ、その嵌合凹部２２に対して遊技盤１０の遊技板１２が着脱自在とされている。嵌合凹部２２に嵌合された遊技板１２は嵌合凹部２２の周囲に設けられた複数の固定レバー２３によって固定されるようになっている。
【００２７】
固定レバー２３は中枠３の後面に突設された支点軸２４を中心にして揺動自在に支持され、上記支点軸２４に支持されたスプリング２５は固定レバー２３を中枠３の背面に向けて付勢している。また、固定レバー２３は、揺動側端部に操作片２６を有し、その操作片２６を操作して、固定レバー２３の揺動側端部が嵌合凹部２２に嵌合された遊技板１２の背面に重なる位置まで固定レバー２３を揺動させることによって遊技板１２を固定し得るようになっている。
【００２８】
図３および図５に示すように、遊技板１２の両側部には、対向一対の突片状の反り矯正部材３０の２組が上下に間隔をおいて設けられている。反り矯正部材３０のそれぞれは曲げ剛性の高い金属からなる。この反り矯正部材３０は、遊技板１２の側部に嵌合されるコの字形の枠体部３１を一端部に有し、その枠体部３１の対向片３１ａと遊技板１２の側部の重なり部を貫通するボルト３２と、そのボルト３２にねじ係合されたナット３３の締付けによって反り矯正部材３０は遊技板１２の後方に張り出す取付けとされている。
【００２９】
対向一対の反り矯正部材３０の先端部間には、その対向一対の矯正部材３０に対して遊技板１２の前後面に平行の相反する方向の軸力を負荷する反り矯正用の操作部材４０が掛け渡されている。
【００３０】
操作部材４０は、対向一対の反り矯正部材３０のそれぞれに形成されたロッド挿入孔３４に両端部が挿入されるロッド４１と、そのロッド４１の両端部外周に形成された雄ねじ４２のそれぞれにねじ係合されて反り矯正部材３０を両側から挟持する対向一対のナット４３、４４とからなり、その対向一対のナットのうち、反り矯正部材３０の内側に配置された内側ナット４３を緩め、外側ナット４４を締め付けることにより反り矯正部材３０に内側方に向く軸力を負荷し、また、外側ナット４４を緩め、内側ナット４３を締め付けることによって反り矯正部材３０に外側方に向く軸力を負荷するようにしている。
【００３１】
実施の形態で示すパチンコ機は上記の構成からなり、遊技板１２の反りの矯正に際しては、ロッド４１の両端部に形成された雄ねじ４２のそれぞれにねじ係合された対向一対のナット４３、４４を回転操作する。
【００３２】
いま、例えば、遊技板１２に両側縁が幅方向の中央部より前面側に配置される前反りの反りが生じている場合において、ロッド４１の両端部の雄ねじ４２にそれぞれねじ係合された内側ナット４３を緩め、外側ナット４４を締め付けると、その外側ナット４４によって反り矯正部材３０が内側方に押され、上記外側ナット４４から反り矯正部材３０に内向きの軸力が負荷される。反り矯正部材３０に対する内向き軸力の負荷により、遊技板１２には、その両側部が後方に引かれる方向の曲げ応力が負荷されることになり、その曲げ応力の負荷によって遊技板１２の前反りが矯正される。
【００３３】
一方、上記と逆に、両側縁が幅方向の中央部より後ろ側に配置される後反りの反りが生じた場合において、外側ナット４４を緩め、内側ナット４３を締め付けると、その内側ナット４３によって反り矯正部材３０が外側方に押され、上記内側ナット４３から反り矯正部材３０に外向きの軸力が負荷される。反り矯正部材３０に対する外向き軸力の負荷により、遊技板１２には、その両側部が前方に押し出される方向の曲げ応力が負荷されることになり、その曲げ応力の負荷によって遊技板１２の後反りが矯正される。
【００３４】
このように、対向一対のナット４３、４４の一方を緩め、他方を締め付ける簡単な操作によって遊技板１２の両方向の反りを矯正することができ、しかも、ナット４３、４４のそれぞれがねじ係合されたロッド４１は遊技板１２の両側部に固定された反り矯正部材３０に掛け渡された状態にあるため、遊技盤１０の組付け前の状態および組付け状態のいずれの状態においても、遊技板１２の反りを矯正することができる。
【００３５】
図５においては、反り矯正部材３０に遊技板１２の前後面に平行の軸力を負荷する操作部材４０として、ロッド４１と、そのロッド４１の両端部に形成された雄ねじ４２にねじ係合された対向一対のナット４３、４４からなるものを示したが、操作部材４０はこれに限定されるものではない。
【００３６】
図６および図７は、操作部材４０の他の例を示す。図６に示す操作部材４０においては、筒状のナット部材４５の両端部内周に雌ねじ４６、４７を形成し、その雌ねじ４６、４７を逆ねじとし、その各雌ねじ４６、４７に一対のロッド４８、４９のそれぞれ一端部外周に形成された雄ねじ５０、５１をねじ係合し、各ロッド４８、４９の他端を対向一対の反り矯正部材３０に固定し、上記ナット部材４５の回転により一対のロッド４８、４９を相反する軸方向に移動させて、対向一対の反り矯正部材３０に相反する方向の軸力を負荷するようにしている。
【００３７】
図７に示す操作部材４０においては、ロッド５２の長さ方向の中央部にレンチ係合部５３を設け、かつ、両端部の外周に雄ねじ５４、５５を形成し、その雄ねじ５４、５５を逆ねじとし、各雄ねじ５４、５５を対向一対の反り矯正部材３０のそれぞれに形成されたねじ孔５６、５７にねじ係合し、上記レンチ係合部５３に係合するレンチの操作によりロッド５２を軸心を中心に回転させて、対向一対の反り矯正部材３０に相反する方向の軸力を負荷するようにしている。
【００３８】
図６および図７に示す操作部材４０においては、左右一対の反り矯正部材３０を同時に相反する方向に押圧することができるため、遊技板１２の反りを効果的に矯正することができる。
【００３９】
図８および図９は、遊技盤１０の他の例を示す。図８に示す例においては、遊技板１２の左右両側部に、断面がコの字形の枠体６０を一端部に有する板状の反り矯正部材６１を左右で対向するよう取付け、その対向一対の反り矯正部材６１の上部間および下部間に、対向一対の反り矯正部材６１に対して遊技板１２の前後面に平行の相反する方向の軸力を負荷する操作部材４０を掛け渡し、その操作部材４０の操作により対向一対の反り矯正部材６１を介して遊技板１２に曲げ応力を負荷して、その遊技板１２の反りを矯正するようにしている。
【００４０】
ここで、操作部材４０として、図５に示す操作部材４０と同一のものを採用したが、図６および図７に示す操作部材４０を採用してもよい。
【００４１】
図９に示す例においては、遊技板１２の後面両側部に、内周に雌ねじ７２を有し、その雌ねじ７２が逆ねじとされた一対の筒状の反り矯正部材７０、７１を左右で対向するよう同一軸上に固定し、その対向一対の反り矯正部材７０、７１のそれぞれの雌ねじ７２にロッド７３の両端部外周に形成された雄ねじ７４をねじ係合し、上記ロッド７３の長さ方向の中央部に設けられたレンチ係合部７５に係合されるレンチの操作により対向一対の反り矯正部材７０、７１に相反する方向の軸力を負荷し、その反り矯正部材７０、７１から遊技板１２に負荷される曲げ応力により遊技板１２の反りを矯正するようにしている。
【００４２】
なお、図９では、対向一対の反り矯正部材７０、７１と、その一対の反り矯正部材７０、７にねじ係合されたロッド７３からなる一組の反り矯正機構のみを示しているが、上記の反り矯正機構は遊技板１２の上下部に設けられている。
【００４３】
図３、図８および図９に示す例においては、遊技板１２の後面中央部から後方に膨出する液晶表示器等のパチンコ部品を避けるようにしてその上下に操作部材４０を設けるようにしている。このように、遊技板１２の後面の上下部に一対の操作部材４０を設けることによって、遊技盤１０の製作を阻害することはなく、しかも、遊技板１２の反りを確実に、かつ、効果的に矯正することができる。
【００４４】
なお、図３、図８および図９に示す例においては、遊技板１２を合成樹脂の押出し成形品とし、その押出し方向を上下としているため、その遊技板１２の上部と下部に操作部材４０を有する反り矯正機構を設けたが、押出し方向が左右とされている場合、遊技板１２は上下方向に反る可能性が極めて高いため、その場合には、遊技板１２の左右両側部に操作部材４０を有する反り矯正機構を、その操作部材４０が上下方向に長く延びる配置でもって設けるようにする。
【００４５】
また、遊技板１２として、合成樹脂からなるものを示したが、合成樹脂に限定されるものではなく、ベニヤ合板からなるものであってもよい。このベニヤ合板からなる遊技板１２においては、反りの方向を特定することができないため、遊技板１２の後面上下部と左右両側部のそれぞれに操作部材４０を有する反り矯正機構を、左右方向に長く延びる操作部材４０と上下方向に長く延びる操作部材４０とが干渉しないよう前後に位置をずらして設けるようにする。
【００４６】
さらに、図３、図８および図９に示す例においては、遊技板１２の反り矯正機構を、その遊技板１２の後面側に設けるようにしたが、遊技板１２の前面側に設けるようにしてもよい。
【図面の簡単な説明】
【００４７】
【図１】この発明に係る遊技盤をセットしたパチンコ機の正面図
【図２】図１の背面図
【図３】図１に示す中枠と遊技盤とを示す分解斜視図
【図４】遊技盤の正面図
【図５】図１に示すパチンコ機の横断平面図
【図６】操作部材の他の例を示す横断平面図
【図７】操作部材のさらに他の例を示す横断平面図
【図８】この発明に係る遊技盤の他の例を示す分解斜視図
【図９】この発明に係る遊技盤のさらに他の例を示す横断平面図
【符号の説明】
【００４８】
１０  遊技盤
１１  遊技領域
１２  遊技板
１３  ガイドレール
３０  反り矯正部材
４０  操作部材
６１  反り矯正部材
【図１】
2009247425.tif 000003
【図２】
2009247425.tif 000004
【図３】
2009247425.tif 000005
【図４】
2009247425.tif 000006
【図５】
2009247425.tif 000007
【図６】
2009247425.tif 000008
【図７】
2009247425.tif 000009
【図８】
2009247425.tif 000010
【図９】
2009247425.tif 000011